(57)【要約】【課題】出力が小さい小型のモータにより自動で開閉駆動することができる携帯情報端末装置を提供する。【解決手段】携帯情報端末装置は、上筐体が下筐体の前面上で回転して自動で開く。この回転の駆動源となるＤＣモータ１１は、減速機構１２並びにピニオンギア１５及びスパーギア１７により減速される。これにより、ＤＣモータ１１にかかるトルクを低減して、出力が小さい小型のモータにより自動で携帯情報端末装置を開閉駆動することができる。【選択図】図２
2008042523.tif 000002
【特許請求の範囲】
【請求項１】
前面にテンキーが設けられた下筐体と、
前面にメインディスプレイが設けられた上筐体と、
前記上筐体と前記下筐体とを取り付けて前記上筐体を前記下筐体の前面上で回転自在としている回転軸と、
アクチュエータと、
前記回転軸に当該回転軸と同軸に固定された大歯車と、
前記アクチュエータを駆動源として回転し、前記大歯車を駆動させるピニオンギアと、
を備えている携帯情報端末装置。
【請求項２】
前記大歯車の回転を一方向に連続して１８０°までに規制する回転規制手段を備えている請求項１に記載の携帯情報端末装置。
【請求項３】
前記大歯車は正回転、逆回転の両方を行う、請求項１又は２に記載の携帯情報端末装置。
【請求項４】
前記アクチュエータは前記下筐体に設けられている、請求項１〜３の何れかの１項に記載の携帯情報端末装置。
【発明の詳細な説明】
【技術分野】
【０００１】
本発明は、携帯電話機などの携帯情報端末装置に関する。
【背景技術】
【０００２】
携帯電話機などの携帯情報端末装置の開閉機構としては、クラムシェルタイプや、上筐体が下筐体上をスライド移動して開くスライドタイプ、上筐体が下筐体上を回転移動して開くリボルバータイプなどが知られている。
【０００３】
クラムシェルタイプの開閉機構においては、モータ駆動により自動で開閉するタイプの機種が知られており、スライドタイプにおいてもモータ駆動により自動で開閉するタイプの機種が知られている（後者については特許文献１を参照）。
【特許文献１】特開２００４‐３１２９８２号公報
【発明の開示】
【発明が解決しようとする課題】
【０００４】
しかしながら、このようなモータ駆動により自動で開閉する携帯電話機などの携帯情報端末装置においては、様々な電子部品が搭載された筐体内の限られたスペース内に開閉駆動用のモータや機構を設ける必要がある。
【０００５】
そこで、出力が小さい小型のモータにより携帯情報端末装置を開閉駆動できるようにして、携帯情報端末装置の小型化、軽量化を図りたい。
【０００６】
本発明の目的は、出力が小さい小型のモータなどのアクチュエータにより自動で開閉駆動することができる携帯情報端末装置を提供することである。
【課題を解決するための手段】
【０００７】
本発明は、前面にテンキーが設けられた下筐体と、前面にメインディスプレイが設けられた上筐体と、前記上筐体と前記下筐体とを取り付けて前記上筐体を前記下筐体の前面上で回転自在としている回転軸と、アクチュエータと、前記回転軸に当該回転軸と同軸に固定された大歯車と、前記アクチュエータを駆動源として回転し、前記大歯車を駆動させるピニオンギアと、を備えている携帯情報端末装置である。
【０００８】
また、前記大歯車の回転を一方向に連続して１８０°までに規制する回転規制手段を備えているようにしてもよい。
【０００９】
さらに、前記大歯車は正回転、逆回転の両方を行うようにしてもよい。
【００１０】
また、前記アクチュエータは前記下筐体に設けられているようにしてもよい。
【発明の効果】
【００１１】
本発明によれば、アクチュエータの駆動力を減速手段で減速させて携帯情報端末装置を開閉することができるので、アクチュエータにかかるトルクを低減して、出力が小さい小型のアクチュエータにより自動で携帯情報端末装置を開閉駆動することができる。
【００１２】
この場合に、回転規制手段を設ければ、携帯情報端末装置を開いた状態で下筐体の長手方向と上筐体の長手方向とを合致させて、リボルバータイプの携帯情報端末装置を開けることができる。
【００１３】
さらに、大歯車を正回転、逆回転の両方を行うように構成したときは、携帯情報端末装置を開く動作、閉じる動作の何れも自動で行うことができる。
【発明を実施するための最良の形態】
【００１４】
以下、本発明の一実施形態について図面を参照して説明する。
【００１５】
図１は、本実施形態である携帯情報端末装置の斜視図である。この携帯情報端末装置１は、リボルバータイプの携帯電話である。携帯情報端末装置１は、大別して下筐体２と上筐体３とから構成される。また、図２において、下筐体２の前面４上には図示しないテンキーが設けられていて、上筐体３の前面５上には図示しないメインディスプレイが設けられている。上筐体３は、図１の状態から下筐体２の前面４上を回転移動して図２の状態となり、下筐体２の前面４上のテンキーが露出して、携帯電話として使用することができる。
【００１６】
次に、携帯情報端末装置１の開閉機構について詳細に説明する。
【００１７】
図３は、図１の携帯情報端末装置１のＡ‐Ａ断面図、図４は、下筐体２部分の平面図（ａ）、Ｂ‐Ｂ断面図（ｂ）、Ｃ‐Ｃ断面図（ｃ）、図５は、下筐体２部分の斜視図、図６は、開閉機構の拡大斜視図である。
【００１８】
下筐体２内にはアクチュエータとなる正逆回転可能なＤＣモータ１１が設けられている。ＤＣモータ１１は前面４の面方向を回転軸の方向として設置され、図示しないバッテリーを電源として動作する。ＤＣモータ１１の回転は、減速手段として、遊星ギアを用いた減速機構１２で減速され、ウォームギア１３、ホイール１４を介して、その回転方向は９０°変換され、小歯車であるピニオンギア１５は前面４の面方向に対して垂直な方向の回転軸を中心として回転する。
【００１９】
回転軸である開閉軸２１は、一端部が下筐体２の前面４の筐体部分に対して回動自在に取り付けられ、他端部が円形の上筐体接合部２２を介して上筐体３に固定されている。これにより、上筐体３の底板２３と下筐体２２の前面４とは接した状態で、上筐体３は下筐体２２の前面４上を回動可能である。
【００２０】
ピニオンギア１５、伝達ギア１６、スパーギア１７は、下筐体２の前面４上に露出している。上筐体３の底板２３には凹部２４が形成されていて、この凹部２４内にピニオンギア１５、伝達ギア１６、スパーギア１７が収納されている。
【００２１】
大歯車となるスパーギア１７は上筐体接合部２２と同軸に固定され、ピニオンギア１５により伝達ギア１６を介して駆動される。
【００２２】
以上のような構成の開閉機構で、ユーザは、図示しない操作ボタンを操作すると、図示しない制御装置がＤＣモータ１１に制御信号を送り、ＤＣモータ１１が駆動される。ＤＣモータ１１の回転は減速機構１２で一度減速され、さらにピニオンギア１５、スパーギア１７を介して十分に減速されるので、ＤＣモータ１１にかかるトルクを低減して、出力の小さな小型のモータを用いることができる。
【００２３】
また、開く動作、閉じる動作のための上筐体３の回転はいずれも連続して１８０°に規制されている。具体的には、開く動作、閉じる動作それぞれについて、回転規制手段である制御装置の制御により、ＤＣモータ１１の回転数を一定数に限定することにより当該回転角の規制を行っている。
【００２４】
これにより、携帯情報端末装置１を完全に開いた状態では下筐体２の長手方向と上筐体３の長手方向とが合致するので、通話等で携帯情報端末装置１を利用する時に最適な状態に開くことができる。
【００２５】
前述の例では、ＤＣモータ１１を正逆回転可能なモータとしているので、これによりスパーギア１７は正転、逆転両方が可能となり、よって、携帯情報端末装置１の開く動作も閉じる動作も自動で行える。
【００２６】
この場合に、ＤＣモータ１１は正転のみ可能なモータを用い、開閉機構により開閉軸２１の回転を正転、逆転両用に切り換えることができるようにしてもよい。
【００２７】
また、携帯情報端末装置１の開く動作のみ、又は閉じる動作のみを自動で行えるように構成しても良い。
【００２８】
さらに、前述の例では、ＤＣモータ１１を下筐体２内に設けたが、上筐体３内に設けるようにしても良い。
【００２９】
また、本実施例では、アクチュエータとして、ＤＣモータを例に挙げたが、その限りでなく、超音波モータなどをアクチュエータとして利用しても良い。
【図面の簡単な説明】
【００３０】
【図１】本発明の一実施形態である携帯情報端末装置の閉じた状態の斜視図である。
【図２】携帯情報端末装置の開いた状態の斜視図である。
【図３】図１における携帯情報端末装置のＡ‐Ａ断面図である。
【図４】携帯情報端末装置の下筐体部分の平面図（ａ）、Ｂ‐Ｂ断面図（ｂ）、Ｃ‐Ｃ断面図（ｃ）である。
【図５】携帯情報端末装置の下筐体部分の斜視図である。
【図６】携帯情報端末装置の開閉機構の拡大斜視図である。
【符号の説明】
【００３１】
１    携帯情報端末装置
２    下筐体
３    上筐体
４    前面
５    前面
１１    ＤＣモータ
１２    減速機構
１３    ウォームギア
１４    ホイール
１５    ピニオンギア
１６    伝達ギア
１７    スパーギア
２１    開閉軸
２２    上筐体接合部
２３    底板
２４    凹部
【図１】
2008042523.tif 000003
【図２】
2008042523.tif 000004
【図３】
2008042523.tif 000005
【図４】
2008042523.tif 000006
【図５】
2008042523.tif 000007
【図６】
2008042523.tif 000008